(57)【要約】  本発明は少なくとも一方のテンプルに開口部（１５）を有する幅広のテンプルを備えた眼鏡に関する。テンプルの内側（１Ａ）の開口部の縁部に取付部材（１６，１７，１８）を備え、少なくとも部分的にテンプル開口部（１５）と同じ形状を有するプレートに取付部材と同様の取付手段が設けられることにより、プレートはテンプル（１）に着脱自在に取り付けられる。【選択図】図１
2010518421.tif 000002
【特許請求の範囲】
【請求項１】
幅広のテンプルを有する眼鏡であって、少なくとも一方のテンプルが装飾的化粧部材を受容する開口部を有する眼鏡において、
テンプル（１）の内面（１Ａ）が、開口部（１５）に隣接する固定要素（１６，１７，１８）と、少なくとも部分的にテンプル（１）の開口部（１５）と等しい形状を有する装飾的化粧部材（２）とを備えており、前記化粧部材（２）が固定要素（１６，１７，１８）と相補的な固定装置（２６，２７，２８）を備えることにより、化粧部材（１）を着脱自在にテンプル（２）に固定すると共に、テンプルの開口部をその内面から少なくとも部分的に塞ぐように構成されていることを特徴とする眼鏡。
【請求項２】
請求項１に記載の眼鏡において、前記開口部（１５）は細長い形状であり、前記化粧部材（２）もまた細長い形状であり、具体的には開口部（１１５，３１５）が三角形または台形の形状であり、化粧部材（１０２，３０２）も三角形または台形の形状であることを特徴とする眼鏡。
【請求項３】
請求項１に記載の眼鏡において、前記化粧部材の輪郭（１０２Ｃ，１０２Ｄ）がテンプル（１０１）の上縁および下縁（１０１Ｃ，１０１Ｄ）に到達していることを特徴とする眼鏡。
【請求項４】
請求項１に記載の眼鏡において、前記幅広のテンプル（１）が複数の開口部と、前記開口部の少なくとも１つと関連して、開口部を少なくとも部分的に被覆するように構成された化粧部材を受容する固定要素とを有することを特徴とする眼鏡。
【請求項５】
請求項１に記載の眼鏡において、前記テンプル（１）の固定要素（１６，１７，１８）および前記化粧部材（２）の固定装置（２６，２７，２８）が挟止手段であることを特徴とする眼鏡。
【請求項６】
請求項１に記載の眼鏡において、
前記固定要素（４１６，４１７）が、後部の着座部（４１８）と、蝶番（４１３）と同じ側のテンプル（４０１）前方の２つの湾曲した突起部であって、テンプルの後方（４１１）に向けられている突起部とによって形成され、
前記固定装置は、テンプルの着座部に長手方向に係合する舌片（４２８）と、後方に向かって湾曲している前記突起部（４１６，４１７）の下に滑り込む化粧部材の前方縁部（４２２）とによって形成されている、ことを特徴とする眼鏡。
【請求項７】
請求項１に記載の眼鏡において、
前記テンプル（５０１）の内面に、開口部（５１５）の両側で軸（ｘ′ｘ′）上に配列して設けられた２つの軸受（５１６，５１８）の形を取る固定要素と、前記２つの軸受の軸（ｘｘ）上に位置せず、開口部（５１５）に隣接して設けられる挟止要素（５１７）とを備えており、
前記化粧部材（５０２）が該化粧部材の両端で軸（ｘ′ｘ′）上に配列して設けられた２つの軸ピン（５２６，５２８）によって形成される固定装置と、第３の固定点を形成して前記テンプル（５０１）の挟止要素（５１７）と協働する挟止装置（５２７）とを備えている、ことを特徴とする眼鏡。
【請求項８】
請求項７に記載の眼鏡において、
前記軸ピン（５２６，５２８）の一方（５２６）が突起部（５３２）によって支持されており、該突起部（５３２）は化粧部材（５０２）の本体（５３０）から取り外されたときに弾性リンクを形成する材料片（５３３）によって連結されたままとなることにより、前記２つの軸ピン（５２６，５２８）を圧縮して２つの軸ピン（５２６，５２８）を相互に接近させ、前記テンプル（５０１）の２つの軸受（５１６，５１８）に係合させることができるように構成されており、
化粧部材（５０２）の装着が、可撓性突起部（５３２）の軸ピン（５２６）をその軸受（５１６）内に導入した後、該可撓性突起部（５３２）を圧縮して他方の軸ピン（５２８）をその軸受（５１８）内に導入し、最後に化粧部材（５０２）を２つの軸ピン（５２６，５２８）と２つの軸受（５１６，５１８）によって形成される軸（ｘｘ）を中心として旋回せしめることにより化粧部材（５０２）の挟止装置（５２７）をテンプル（５０１）の挟止要素（５１７）に挟止して該化粧部材（５０２）の組み付け位置を画定することによって行われることを特徴とする眼鏡。
【請求項９】
請求項８に記載の眼鏡において、眼鏡のテンプル（５０１）がその蝶番（５１３）の近くに軸ピン（５１６）と挟止要素（５１７）とを備えており、化粧部材（５０２）の軸ピンの一方（５２６）を支持する前記可撓性突起部（５３２）は化粧部材の挟止装置（５２７）も支持しており、化粧部材の他端部が第２の軸ピン（５２８）を有していることを特徴とする眼鏡。
【請求項１０】
請求項９に記載の眼鏡において、前記テンプル（５０１）の軸受（５１６）と挟止要素（５１７）とが一体に形成されていることを特徴とする眼鏡。
【請求項１１】
請求項８に記載の眼鏡において、前記２つの軸ピン（５２６，５２８）と挟止装置（５２７）とが、化粧部材を形成する材料の帯状片の一部で形成されていることを特徴とする眼鏡。
【請求項１２】
請求項１に記載の眼鏡において、前記固定要素の少なくとも１つがテンプル（６０１）の裏面（６０１Ａ）のガセット（６１６）であり、化粧部材（６０２）の一方の端部に設けられた前記固定装置（６２６，６２７）の少なくとも１つが２つの突起部（６２６，６２７）によって形成されており、該突起部は長手方向（Ａ）の圧縮によりガセット（６１６）内で弾性変形して、化粧部材（６０２）の他端部にある他方の固定装置をテンプル（６０１）の対応する固定要素内に導入されるように構成されていることを特徴とする眼鏡。
【請求項１３】
請求項１２に記載の眼鏡において、眼鏡テンプル（６０１）がその裏面（６０１Ａ）にガセット（６１６）の形状をとる２つの固定要素を備え、化粧部材（６０２）の２つの固定装置は各々が長手方向の圧縮により弾性変形可能な２つの突起部（６２６，６２７）によって形成されていることを特徴とする眼鏡。
【請求項１４】
幅広のテンプルを有する眼鏡であって、少なくとも一方のテンプル（７０１）が装飾的化粧部材（７０２）を受容する開口部（７１５）を有する眼鏡において、該眼鏡が、
テンプル（７０１）の内面側において開口に隣接する内のり（５１５ａ）と、
各々が内面側において、せん断縁の中で開口部に接して開口部に隣接する内のり（７１５ａ）の内側と同じ高さになるように設けられた着座部によって形成される固定要素（７１６，７１７）とを備え、
前記２つの着座部（７１６，７１７）は、着座部の一方がテンプルの前方に、他方がテンプルと後方に、と相互に対向して配設されており、少なくとも一方の着座部（７１７）がバネ（７１９）を装填されたピストン（７１８）を含み、他方は自由であり、
該眼鏡がさらに、各々が縁部（７０２ａ）を延長した突起部の形状を取る化粧部材（７０２）の固定装置（７２６，７２７）を備えており、該固定装置はそれぞれ開口部（７１５）の相補的な着座部（７１６，７１７）に滑り込むように形成されており、前記突起の１つ（７２７）がピストン（７１８）を備えた着座部に係合することにより、他方の突起部（７２６）が他方の着座部（７１６）に対向するところまでピストンをバネ（７１９）の作用に抗して押し戻し、ピストン（７１８）のバネ（７１９）の作用方向と反対の方向に化粧部材に加えられる推力を解放し、化粧部材（７０２）全体を押し戻すことにより、第２の突起部（７２６）がその着座部（７１６）に導入されてテンプル（７０１）に対して化粧部材を固定するように構成されており、
該眼鏡がさらに、開口部（７１５）の内側を介して内のり（７１５ａ）に当接するように構成された化粧部材（７０２）の縁部（７０２ａ）を備えていることを特徴とする眼鏡。
【請求項１５】
請求項１４に記載の眼鏡において、化粧部材（７０２）がテンプル（７０１）の開口部（７１５）に対応するドーム型の形状を有し、該ドーム型形状にドーム型部分（７０２ｂ）を開口部（７１５）に係止するための縁部（７０２ａ）が設けられていることを特徴とする眼鏡。
【発明の詳細な説明】
【技術分野】
【０００１】
本発明は幅広のテンプルを有し、少なくとも一方のテンプルに開口部を備える眼鏡に関する。
【背景技術】
【０００２】
現在、幅広のテンプルを有する眼鏡の形態は数多く存在する。テンプルの中には幅広中実のものもあるが、横に寝かせたＹ字状となるように拡開したものもある。この場合の２本のアーム部は、テンプル前部において蝶番を設けたクロスメンバーによって接続され、後部において相互に結合して、耳にかかるテンプル端部へと続いている。
【発明の概要】
【発明が解決しようとする課題】
【０００３】
本発明の目的は、服装や流行に合わせてテンプルを変えたり、調和させることのできる眼鏡を開発することにある。
【課題を解決するための手段】
【０００４】
この目的で、本発明は上に定義した種類の幅広テンプルを有する眼鏡に関し、テンプルの内面の開口部に隣接して固定要素が設けられ、少なくとも部分的にテンプルの開口部と等しい形状を有する装飾的化粧部材に固定要素と相補的な固定装置が設けられることにより、化粧部材がテンプルに対して着脱自在に固定される。
【０００５】
装飾的化粧部材は、テンプルの内面、すなわちユーザの頭部側に向く面においてテンプルの開口部の一部を覆い、開口部を通して見えるようにすることで、非常に多様な美的効果をもたらすことができる。化粧部材の固定法が着脱式であるため、化粧部材は別の形、別の意匠のものと容易に交換することができる。テンプルの開口部から見える化粧部材の意匠は、平坦でも浮き彫りでも良いし、色彩があっても白黒でも良い。化粧部材または眼鏡の一方のテンプルに結合された化粧部材に無線回路、電話回路、又はＷｉＩＦｉによって動作できるリンク手段等の電子及び情報技術手段を設けると有利である。
【０００６】
また、化粧部材に電子チップまたは無線ＩＣタグ（ＲＦＩＤ）タグを組み込んで、眼鏡の着用者の識別ができるようにすると有利である。例えば、オフィスや会社内のある区域などのセキュリティをかけられている区域の出入り、通行の検出、施設または機械の使用許可などに対するタグがあると、眼鏡着用者はタグの携行について注意する必要がないため、監視の管理が容易になる。標準的な形式のタグそのものを化粧部材に設けた標準形式の専用エリアに組み込むこともできるが、この場合の化粧部材は特定の眼鏡に適応させたものとなる。
【０００７】
最後に、化粧部材を多様化して、眼鏡のユーザが一組の化粧部材を手元に用意して好みや必要に応じて適宜更新できるようにすることができる。
【０００８】
化粧部材は平面的な構成であるため、眼鏡の着用の邪魔にならずテンプルの内面側から突出する障害物となることもない。
【０００９】
化粧部材は不透明または透明の地に模様、嵌め込み細工、装入物等の装飾要素を付して開口部またはテンプルに複数の開口部がある場合はその１つから見えるようにするのであるが、化粧部材が開口部全部を被覆し、その寸法が化粧部材をテンプルの内面に当接して装着した時にテンプルの上縁および下縁と実質的に同じ高さとなるようにするのが有利である。
【００１０】
開口部は細長い形状とすることができるが、その場合化粧部材もまた細長い形状となる。この細長い形状は三角形でも台形でも良いが、眼鏡のテンプルがその上縁と下縁において帯状にしか残らず、これらの２つの帯状の部分が後方に向かって相互に再結合して耳の上にかかるテンプル端部となるようにする。
【００１１】
テンプルに設けられる固定要素と化粧部材の固定装置とは、挟止手段とするのが好ましい。テンプルの全体的な形状が三角形であるため、挟止手段をこの三角形の３つの頂点、すなわちテンプル前部の蝶番に２つと幅広のテンプルが通常の形状となる後部に１つ配置するのが有利である。後部の固定手段は化粧部材およびテンプルの長手方向に二重に配置すると有利である。
【００１２】
挟止ピンは例えば化粧部材に対して溶接によって固定される。あるいは化粧部材に強制的に係合されるピンによって形成されても良い。これらの固定手段は弾性として、テンプルに設けられた孔に容易に係合してそこに固定要素を形成するものとするのが好ましい。この場合の孔は貫通するものでない方が良い。ただし、固定上または美観的な理由から、貫通孔を設けて、挟止ピンの長さをテンプルの他方の面から見えるように、あるいはその面を突き抜けるように設定しても良い。この構造は、着脱性を維持しながら適切な固定を提供するだけでなく、ピンの端部を見せることによる装飾的効果という点でも有利である。化粧部材およびピンを研磨金属または金箔を施した金属等で作成する場合、幅広のテンプルの固定要素を形成する孔の出口においてピン自体の端部が見えることになる。
【００１３】
固定要素を、蝶番側のテンプルの前部においてはテンプルの後部に向けて湾曲された２つの突起部で形成し、また後部においては着座部によって形成し、固定装置についてはテンプルの着座部に長手方向に係合する舌片と、後部に向かって湾曲された突起部の下方を滑動する化粧部材の前縁部とによって形成しても良い。
【００１４】
次に、化粧部材の可撓性に作用することで化粧部材を装着するが、これは化粧部材の固定装置の舌片状の端部をテンプル後部の着座部に係合させた後は、化粧部材をアーチ状に曲げてテンプル前部の湾曲突起部の下に滑り込ませるだけで良いためである。前記着座部は随意に貫通型の一種のループまたはライダ等によって形成される。
【００１５】
化粧部材は、テンプルによって支持される蝶番部材に嵌合するように形成された切欠き部、湾曲突起部または蝶番部材の両側に配置した挟止用の孔のような固定要素によって定位置に保持すると有利である。これによって化粧部材をテンプルの長手方向に対して垂直方向に、テンプルの平面において保持または固定することができる。
【００１６】
別の特長によると、テンプルの内面に、開口部の両側に配列された２つの軸受の形をとる固定要素と共に、これら２つの軸受の軸上ではなく開口部に隣接して設けられる挟止要素を配置し、化粧部材にはその各端部に配列された２つの軸ピンによって形成される固定装置と、第３の固定点を形成してテンプル側の挟止要素と協働する挟止装置とが設けられる。
【００１７】
化粧部材の眼鏡のテンプルへのこのような固定方法は、装着が容易である上に離脱する恐れが無く有利である。これは、化粧部材がその２軸で軸受に係合すると共に、化粧部材の第３の地点が挟止により固定されるためである。例え、化粧部材が挟止されている挟止要素から離脱した場合でも、変形されない限り軸受から解放されることはない。この化粧部材の変形はアーチ状に曲げて軸と軸の間の距離を短くするもので、化粧部材の装着時に行われる。化粧部材を片手で保持し、その軸受に軸ピンを係合させた後、化粧部材をアーチ状に曲げて第２の軸ピンをその軸受に係合させることができるため、化粧部材の変形は容易に行うことができる。化粧部材を真っ直ぐにしたとき、軸を中心として旋回して挟止することができるためである。
【００１８】
このようにアーチ状に曲げる動作は、化粧部材を取り外して別のものと交換する際にも行う必要があるが、テンプルを誤って何かに引っかけた場合に生じ得るような変形とは異なるものである。
【００１９】
この種の化粧部材および化粧部材固定方法は、宝石や金箔のような宝飾品で装飾した化粧部材など、高価な化粧部材に関して特に有利である。
【００２０】
効果的な方法としては、軸ピンの１つを化粧部材本体から取り外した突起部によって支持されるようにし、弾性リンクを形成する帯状の材料によって突起部に接続されたままとなるようにすることで、２つの軸ピンを圧縮して相互に接近せしめ、軸ピンをテンプルの２つの軸受に係合させることが可能となる。化粧部材の装着は、可撓性の突起部の軸ピンをその軸受に係合させた後、可撓性の突起部を圧縮して他方の軸ピンをその軸受に導入し、最後にこれら２つの軸ピンと２つの軸受とによって形成される軸を中心として化粧部材を旋回せしめ、化粧部材の挟止装置をテンプルの挟止要素に挟止して化粧部材の組立位置を画定することによって行われる。
【００２１】
この実施形態の化粧部材は、特に装着が容易であるが、これは、その軸受に軸ピンを係合させた後、軸ピン間の距離を縮めて第２の軸ピンをその軸受に導入できるようにするために、可撓性のアームを弾性リンクを形成する化粧部材本体との接合部において圧縮して、第２の軸ピンが軸受に入るところまでの長さを獲得する方法による。
【００２２】
その後、圧縮力を緩めると化粧部材は自然に元の状態に戻る。この場合の化粧部材は、２つの軸ピンによって形成される軸を中心として旋回して、挟止要素を挟止装置に係合させることもできる。
【００２３】
挟止連結から離脱させるには、上記の動作を逆に行うことにより、眼鏡のテンプルの開口部を介して化粧部材を押した後、２つの軸ピンを外すだけで良い。
【００２４】
有利な構成として、眼鏡のテンプルの蝶番の近くに軸ピンと挟止要素を設け、化粧部材の軸ピンの一つを支持する可撓性の突起部が化粧部材の挟止装置も支持するようにし、化粧部材の他端部に第２の軸ピンを設けると良い。
【００２５】
別の有利な特長によると、テンプルの軸受および挟止要素を一体とする。
【００２６】
軸ピンは、化粧部材の装着または取り外しの際に固定するための要素、また場合によっては旋回または回転のための要素を形成する。軸ピンが断面非円形の場合でも、旋回に全く問題はない。例えば、プラスチック材料や金属などの剛性材料から化粧部材を切り出した場合、断面正方形の軸ピンは断面円形の軸受の円筒形の穴の中で問題なく回転することができる。
【００２７】
さらに別の特長によると、化粧部材を作成する材料片の一部から２つの軸ピンと挟止装置が形成される。
【００２８】
化粧部材の一部を形成する挟止装置についても同じである。
【００２９】
さらに別の特長によると、固定要素の少なくとも１つをテンプルの裏面のガセットとし、化粧部材の一端部の固定装置の少なくとも１つを２つの突起部とし、これらの突起部が長手方向の圧縮によってガセット内で弾性変形することにより、化粧部材の他端部の固定装置をテンプルの固定要素に導入できるようにする。
【００３０】
さらに別の特長によると、テンプルの裏面にガセットの形を取る２つの固定要素を設け、化粧部材の２つの固定装置の各々に長手方向の圧縮により弾性変形可能な２つの突起部を設ける。
【００３１】
この固定要素および固定装置の実施形態によると、テンプルへの化粧部材の装着が非常に容易かつ効率的に行えるようになる。化粧部材が例えばその固有の形状、または化粧部材に施されたリブや装飾等により非常に堅い場合であっても、２つの突起部の弾性力に働きかけることによって化粧部材の装着を行うことができる。
【００３２】
化粧部材の装飾または構造の種類によっては、化粧部材を弾性的に曲げることなく、該化粧部材の適用されるテンプルの形状に従ってその形状（平坦またはやや湾曲した形状）に維持するのが望ましい場合がある。化粧部材の自然な形状を越えて弾性的に変形させると、たとえば被覆しているフィルムに亀裂を生じたり、化粧部材の表面に付加されている要素が離脱するなど、装飾要素を損なってしまう恐れがある。
【００３３】
化粧部材の弾性突起部の形をとる固定装置を受容するようにガセットの形をとる着座部を眼鏡テンプルの少なくとも一方の端部に設けることによって、テンプルの裏面に当接して化粧部材を非常に平坦に配置することが可能となる。つまり、まず弾性突起部を備えた方の端部をガセット内に位置決めし、次いでこの端部を押して２つのアームを弾性変形せしめると共に、化粧部材の他端部、すなわち化粧部材他端部の固定装置を他端部のそれと同様のガセット等の固定要素の中に通した後、圧縮を加えていた弾性突起部を有する端部を解放することにより、化粧部材を着脱自在のままで確実に定位置に取り付けることができる。
【００３４】
ガセットの形を取る固定要素は、実質的にテンプルの内面に浮き出しを形成しないように非常に平坦としても良い。ガセットの形を取るこれら固定要素は、テンプルの裏面と一体化しても良い。
【００３５】
さらに別の有利な特長によると、
テンプルの内面側において開口部が内のりに隣接し、
各固定要素が内面側において、せん断縁の中で開口部に接して開口部に隣接する内のりの内側と同じ高さになるように設けられた着座部によって形成されており、
一方の着座部がテンプルの前部、他方の着座部がテンプルの後部と、２つの着座部が相互に相対して設けられており、少なくとも一方の着座部がバネを装填したピストンを備え、
化粧部材が開口部の内側を介して内のりに当接するように形成された縁部を有しており、
化粧部材の各固定装置は、縁部を延長して開口部の相補的着座部内に滑り込むように形成された突起部の形を取り、突起部の一つがピストンを備えた着座部に係合して、他方の突起部が他方の着座部に対向するところまで該ピストンをバネの作用に抗して押圧し、ピストンのバネの作用と反対方向に化粧部材に加えられる推力を緩めることにより、化粧部材全体を押し戻して第２の突起部を着座部に導入して固定する。
【００３６】
化粧部材を特に簡単な方法で開口部で導入してそこに固定することができる。化粧部材の外面に推力が加えられた場合でも、それをブロックすることができる。ピストンを圧縮するようにテンプルに平行に化粧部材に並進的運動が加えられた場合のみ、他方の突起部を着座部から離脱させて化粧部材を交換のため取り出し、色や装飾を変更する化粧部材と取り換えることができる。
【００３７】
このような運動は自然ではなく、特に偶然には起こり得ないものであるため、化粧部材が眼鏡テンプルの内側から定位置に配置されるということもあって、化粧部材を無くすというリスクを実質的に回避することができる。
【００３８】
さらに別の有利な特長によると、化粧部材はテンプルの開口部に対応するドーム型の形状を有し、このドーム型形状に縁部を設けることにより、ドーム型形状が開口部内に収容され、縁部が内のりに当接支持される。
【００３９】
化粧部材のドーム型形状に十分に広い縁部を設けることにより、化粧部材を開口部内に装着するための並進運動が、開口部およびドーム型形状のそれぞれの寸法が化粧部材の並進運動を妨げることなく突起部を導入できるようにする。
【図面の簡単な説明】
【００４０】
【図１Ａ】幅広の眼鏡テンプルの内側から見た図である。
【図１Ｂ】幅広のテンプル用に構成された化粧部材の内側から見た図である。
【図２Ａ】別の実施形態で、先の図の幅広の眼鏡テンプルに対応する図である。
【図２Ｂ】別の実施形態で、先の図の化粧部材に対応する図である。
【図３Ａ】第３の実施形態の組み立て状態における幅広のテンプルを有する眼鏡を示す。
【図３Ｂ】第３の実施形態で、組み立てた状態における幅広のテンプルを有する眼鏡の化粧部材を示す。
【図４Ａ】さらに別の実施形態による別の固定方法を用いた幅広の眼鏡のテンプルを示す。
【図４Ｂ】さらに別の実施形態による別の固定方法を用いた幅広の眼鏡の化粧部材を示す。
【図４Ｃ】化粧部材を取り付けたテンプルの内面を示す図である。
【図４Ｄ】取り付け前の幅広のテンプルと化粧部材を上から見た図である。
【図４Ｅ】化粧部材を図４Ｂにより備え付けた図４Ａの幅広のテンプルを外側から見た図である。
【図５Ａ】別の実施形態による眼鏡テンプルを示す。
【図５Ｂ】別の実施形態による眼鏡テンプルの化粧部材を示す。
【図５Ｃ】別の実施形態による眼鏡テンプルとその化粧部材を示す。
【図６Ａ】図５Ａ〜図５Ｃの実施形態による眼鏡テンプルに化粧部材を装着する際の段階を示す。
【図６Ｂ】図５Ａ〜図５Ｃの実施形態による眼鏡テンプルに化粧部材を装着する際の段階を示す。
【図６Ｃ】図５Ａ〜図５Ｃの実施形態による眼鏡テンプルに化粧部材を装着する際の段階を示す。
【図６Ｄ】図５Ａ〜図５Ｃの実施形態による眼鏡テンプルに化粧部材を装着する際の段階を示す。
【図７Ａ】別の実施形態によるテンプルを固定要素において示す。
【図７Ｂ】別の実施形態による化粧部材を固定装置において示す。
【図８】図７Ａ〜図７Ｂによる化粧部材の端部をテンプルの端部に固定装置を固定要素に係合させることにより組み付けた状態を示す。
【図９Ａ】化粧部材端部をテンプルの固定要素に装着する段階を図式的に示しており、固定要素を形成するガセットを、テンプルの裏面に平行な平面を通る断面で示したもので、固定装置が固定要素の前方にある係合前の状態を示す。
【図９Ｂ】化粧部材端部をテンプルの固定要素に装着する段階を図式的に示しており、固定要素を形成するガセットを、テンプルの裏面に平行な平面を通る断面で示したもので、固定装置の２つの突起部を固定要素に圧入する状態を示す。
【図９Ｃ】化粧部材端部をテンプルの固定要素に装着する段階を図式的に示しており、固定要素を形成するガセットを、テンプルの裏面に平行な平面を通る断面で示したもので、テンプルの固定装置が弾性復帰した後の状態を示す。
【図１０Ａ】別の実施形態による眼鏡テンプルの側面図であり、化粧部材は取り外されている。
【図１０Ｂ】図１０Ａのテンプル用の化粧部材を内側から見た正面図である。
【図１１Ａ】眼鏡の幅広テンプルにおける化粧部材の取り付けに関し、図１０ＡのＸＩ−ＸＩ線に沿って取った水平断面図であり、化粧部材を装着していないテンプルを示す。
【図１１Ｂ】眼鏡の幅広テンプルにおける化粧部材の取り付けに関し、図１０ＡのＸＩ−ＸＩ線に沿って取った水平断面図であり、化粧部材の対応する断面図である。
【図１１Ｃ】眼鏡の幅広テンプルにおける化粧部材の取り付けに関し、図１０ＡのＸＩ−ＸＩ線に沿って取った水平断面図であり、ピストンの圧縮により化粧部材を装着する最初の動作を示す。
【図１１Ｄ】眼鏡の幅広テンプルにおける化粧部材の取り付けに関し、図１０ＡのＸＩ−ＸＩ線に沿って取った水平断面図であり、化粧部材がテンプルに固定された状態を示す。
【発明を実施するための形態】
【００４１】
次に、添付図面に示す様々な実施形態を用いて、本発明についてより詳細に説明する。
【００４２】
図１Ａ，図１Ｂに示すように、本発明は幅広のテンプルを有する眼鏡に関する。図示されているのは眼鏡の片方のテンプル１のみで、その内側１が示されている。幅広のテンプルは、耳の上にかかる後端部１１から蝶番部材１３で眼鏡の前部の接続される前端部１２ｃまで次第に幅広となる形状を有する。
【００４３】
幅広のテンプル１は、その幅広部１４において比較的平坦であり、幅広部の全長にわたって延びる細長い溝孔によって開口部１５が形成されている。
【００４４】
開口部１５の前方の両側において、幅広部１４に２つの固定要素１６，１７が設けられている。開口部１５の後部の幅広部には第３の固定要素１８が設けられている。
【００４５】
固定要素１６，１７，１８は、図１Ｂに示す化粧部材２を受容するために設けられたものである。化粧部材２は固定要素１６，１７，１８と相補的な固定装置２６，２７，２８を備え、固定装置２６，２７，２８が固定要素１６，１７，１８と協働することで図１Ｂの化粧部材を幅広のテンプル１の内側１Ａに押圧保持し、テンプル１の開口部１５を通して見えるように構成されている。
【００４６】
図１Ｂに示すように、その外面２Ｂのみを示されている化粧部材２は、幅広のテンプルの内側に取り付けたときに幅広のテンプルの開口部を少なくとも部分的に（図示の例では完全に）覆うように構成されており、頂点を切断した三角形の形状を有している。化粧部材２の寸法は、ここでは開口部１５の寸法より大きくしており、特に化粧部材の上縁２Ｃおよび下縁２Ｄで大きくなっている。図１Ｂは、幅広のテンプル１の内側１Ａに嵌め合わされるように構成された化粧部材２の外面２Ｂを示している。化粧部材は固定装置に加えて切欠き部２９を備えており、この切欠き部２９が蝶番要素１３に跨座して蝶番要素と協働することで、要素１６，１７，１８と固定装置２６，２７，２８との協働により提供される保持効果を完結させる係止手段を構成している。
【００４７】
本実施形態の固定要素１６，１７，１８および固定装置２６，２７，２８は挟止手段によって形成される。すなわち、固定要素１６，１７，１８は幅広のテンプル１に設けられた好ましくは貫通式のものではない着座部とし、固定装置２６，２７，２８は化粧部材２に支持される挟止ピンとする。化粧部材がプラスチック材料、より一般的には成型部品である場合には、挟止ピンは化粧部材と同じ材料から形成することができる。挟止装置を化粧部材に溶接しても良いし、化粧部材の着座部に挿入して焼嵌めすることで確実に固定するようにしても良い。
【００４８】
これらの挟止手段により、化粧部材２をテンプル１の内面１Ａに着脱自在に連結することが可能となる。
【００４９】
化粧部材２の外面２Ｂには、幅広のテンプルの開口部を通して見えるように装飾要素が設けられている。装飾要素は開口部に設けた平坦な装飾としても良いし、浮き彫り装飾としても良い。特に有利な実施形態によると、化粧部材２を金属製とし、これに処理をしたり、ブラシ加工、組紐飾り、染色などを施す。化粧部材には、電子無線回路や電話回路、情報技術支援装置等の機能要素、特にＷｉＩＦｉで動作する手段を組み込むと有利である。
【００５０】
化粧部材にＲＦＩＤタグ等の識別チップを組み込むと非常に有利である。セキュリティ保護されたオフィスやビジネスゾーンなどでは、ＲＦＩＤ式等のタグを携帯している者にのみ通過を許可するコントロール・ポイントを設ける場合があるが、その眼鏡を着用することによってこのようなコントロール・ポイントを通過することが可能となるからである。ＲＦＩＤタグと眼鏡を結合するということは、常にタグを携帯していることになり、タグの携帯に関して心配する必要が無くなる。
【００５１】
図２Ａと図２Ｂは、本発明の幅広のテンプルを有する眼鏡の別の実施形態を示しているが、ここでもやはり内側１０１Ａから見た幅広のテンプル１０１のみを示している。
【００５２】
幅広のテンプル１０１は、幅広のテンプルの輪郭に沿う三角形状の細長い開口部１１５を備えている。この開口部１１５用として構成された化粧部材１０２も図１Ｂのものと同様の三角形状を有しており、実質的に同様の固定手段１２６，１２７，１２８、すなわち連結装置と、幅広のテンプル１０１に設けた蝶番要素１１３を跨座させることのできる切欠き部１２９とを備えている。この組立手段は、前述のように挟止手段としても良い。一例として、着脱自在の連結部として、３点１１６，１１７，１１８をテンプル１０１の内側１０１Ａに設けると共に、３点１２６，１２７，１２８が化粧部材をテンプル上の低位置に配置した時に化粧部材１０１の内側１０１Ａに当接する化粧部材２０１の外側２０１Ａに設けられている。
【００５３】
図３Ａと図３Ｂは、本発明による幅広のテンプルを備えた眼鏡の別の変形例を示している。この場合、幅広のテンプル２０１はその前部３１２と幅広部３１４において実質的に台形の外形を有しており、やはり台形状の開口部３１５を備えている。この開口部は大きいものである。開口部３１５を覆うように構成された化粧部材３０２が図３Ｂにおいてその組立位置、すなわち内面３０２Ａを見せる位置で示されている。
【００５４】
開口部３１５の寸法、ひいては化粧部材３０２の寸法を考慮すると、化粧部材３０２とテンプル３０１との間を４つの固定点による着脱自在の組み立てとするのが有利である。すなわち前部の３１６，３１７；３２６，３２７の２つの固定点に加えて後部にも２つの固定点３１８，３１８１；３２８，３２８１をそれぞれ前後に並べて設ける。化粧部材３０２もテンプル３０１の蝶番要素３１３を跨座させるための切欠き部３０９を備える。
【００５５】
前述のように、化粧部材３０２は任意の材料で形成できるが、金属が好ましい。その外側の装飾面は彩色処理される。
【００５６】
図４Ａ〜図４Ｅは、本発明による幅広のテンプルを備える眼鏡の別の実施形態を示している。幅広のテンプル４０１が、テンプル４０１の内側４０１Ａに固定される化粧部材４０２によって少なくとも部分的に覆われるように構成された開口部４１５を備えるという原理はそのままであるが、化粧部材の着脱自在の固定手段が変更されている。
【００５７】
すなわち、図４Ａによると、その開口部４１５が三角形状を呈する幅広のテンプル４０１の前部４１２が、後部４１１に向かって湾曲した２つの突起部４１６，４１７を備え、後部４１１には固定点４１８がループまたは着座部によって形成されている。
【００５８】
図４Ａの平坦なテンプル４０１に備えるように構成された図４Ｂの化粧部材４０２は、開口部４１５の形状より大きな形状を有し、特に、その上側輪郭線４０２Ｃとその下側輪郭線４０２Ｄとが幅広のテンプル４０１の上側輪郭線４０１Ｃと下側輪郭線４０１Ｄにそれぞれ対応する形状を有している。
【００５９】
化粧部材４０２の後端部には、幅広のテンプル４０１のループ４１８と係合するように構成された舌片４２８が設けられており、化粧部材の前端部４２は突起部４１６，４１７の下に取り付けられる。この目的で、化粧部材４０２は平坦な状態で前部と後部の固定装置４１６，４１７，４１８の間の距離に実質的に相当する長さを有している。このため、化粧部材は後ろに折り返された突起部に嵌合できるように変形させることによって装着される。この化粧部材は接合要素４１３を跨座させる切欠き部４２９を含んでいる。
【００６０】
図４Ｃは、化粧部材４０２を装着したテンプル４０１の内側を示している。
【００６１】
図４Ｄは、ループ４１８の形状と、フックを形成する前方突起部４１６，４１８の形状をより詳細に示している。
【００６２】
最後に、図４Ｅは幅広のテンプル４０１の開口部４１５を通して見た化粧部材の外観を示している。
【００６３】
図５Ａ〜図５Ｃと図６Ａ〜図６Ｄは、化粧部材５０２を備えた幅広のテンプル５０１の別の実施形態を示している。
【００６４】
図５Ａに示すように、幅広のテンプル５０１はマウント前部に関して軸ｚｚを中心として旋回するための蝶番要素５１３を備えている。テンプル５０１の内面に３つの固定要素、すなわち軸ｘｘに沿って整列された２つの軸受５１６，５１８と、挟止要素によって形成される第３の固定要素５１７とが設けられている。
【００６５】
テンプル５０１は開口部５１５を備えており、その上縁を軸ｘｘの下方に示しているが、その幾何学的な構成については必須事項ではない。
【００６６】
テンプル５０１に設けるように構成された化粧部材５０２は、この例ではテンプル５０１の台形形状の開口部５１５を覆う形状を有している。
【００６７】
化粧部材５０２は軸ｘ′ｘ′に沿って整列された２つの軸ピンによって形成される２つの固定装置５２６，５２８を有しており、軸ｘ′ｘ′は、下記の条件下で化粧部材５０２をテンプル５０１を装着した際に軸ｘｘと一致する。
【００６８】
化粧部材５０２は、テンプル５０１の挟止要素５１７と協働するように構成された挟止縁部によって形成される第３の固定装置５２７を備える。
【００６９】
化粧部材の本体５３０は、軸ｘ′ｘ′と交差する切欠き部５３１を含み、可撓性の突起部５３２を形成しており、可撓性の突起部５３２は材料の一部分５３３を介して本体と連結されている。
【００７０】
可撓性の突起部５３２の自由端に軸ピン５２６を支持し、連結部５３３に近接する方の突起部の端部に挟止装置５２７を支持している。
【００７１】
化粧部材５０２のテンプル５０１への取付けは、軸ピン５２６，５２８を軸受５１６，５１８に係合した後、挟止装置５２７を挟止装置５１７に挟止することによって行う。
【００７２】
化粧部材５０２の取付けを終わると、テンプル５０１の内面は図５Ｃに示す外観を呈する。化粧部材５０２が開口部５１５を全面的または部分的に覆っている。この例では、開口部５１５は台形であり、化粧部材５０２の本体も開口部５１５より寸法が大きい台形である。ただし、このような幾何学的関係は必要事項ではない。獲得しようとする効果または結果に応じて、化粧部材と開口部とが全面的または部分的に重なり合うものとする。
【００７３】
化粧部材の取付けおよび取外しは、図６Ａ〜図６Ｄに示すように行われる。
【００７４】
図６Ａに示すように、眼鏡頭部のテンプル５０１が化粧部材５０２を受容する。
【００７５】
この例では、軸受を形成する固定要素５１６と、挟止の働きをする固定要素５１７とが、テンプル５０１の内面に支持される小さな棒状の１つの部品によって形成されている。化粧部材が別個に示されている。化粧部材はシート材から切り抜き形成された材料片で形成されており、その固定装置と挟止用の縁部は切り抜きの際に同時に作成されている。この場合の化粧部材は装飾要素を含まない。
【００７６】
テンプルの開口部５１５から見える側、およびその裏面に装飾要素を設けて製造することもできる。
【００７７】
図６Ｂに示すように、第１の動作では化粧部材本体を親指と人差し指で挟んだ状態で軸ピン５２６を軸受５１６に滑り込ませる。軸ピン５２６が係合すると、軸ｘ′ｘ′の方向に本体を押圧し、溝孔５３１を変形させることにより軸ピン５２８が軸受５１８に係合できるところまで軸ピン５２８を軸ピン５２６に近づける。次に、押圧を緩めて化粧部材が連結部分５３３の変形の緩和によって元の状態に戻るようにする。
【００７８】
その後、化粧部材は図６Ｃに示す位置をとる。この状態で化粧部材は軸ｘｘを中心として旋回することで、挟止装置５２７を挟止要素５１７の下に通すことが可能となる。このようにして化粧部材５０２は眼鏡部片５０１の内面に当接保持される。
【００７９】
化粧部材５０２を取り外して別の化粧部材と取り換えるためには、テンプル５０１の外側から開口部５１５を通して化粧部材を押し、挟止装置５２７を挟止要素５１７から離脱させ、化粧部材を旋回軸ｘｘを中心に旋回させるだけで良い。図６Ｃに示すように、化粧部材５０２を持ち上げる際、親指と人差し指の間に把持して軸ピン５２８を眼鏡テンプルの軸受５１８から取り外せるところまで（図６Ｂ）可撓性のアーム５３２を弾性連結部分の変形により押圧する。後はもう１つの軸ピン５２６をその軸受５１６から取り出すだけで良い。
【００８０】
上記実施例では、幅広のテンプルの形状が実質的に三角形状となっているが、本発明の幅広のテンプルの形状はこれに限定されない。本発明は少なくとも１つの開口部を備える眼鏡の幅広のテンプルに一般的に適用されるものであり、その開口部が細長い形状であるかその他の形状であるかを問わない。テンプルは複数の開口部を備えても良く、それらの１つのみ、あるいはいくつかが該開口部を部分的または全面的に被覆する化粧部材を受容するようにしても良い。
【００８１】
テンプルの開口部は、左側と右側のテンプルに関して対称としても良いし、非対称としても良い。
【００８２】
最後に、眼鏡の両テンプルのうち一方のみが化粧部材を受容する１つまたはそれ以上の開口部を有するようにしても良い。
【００８３】
図７Ａ，図７Ｂに示す別の実施形態による眼鏡では、テンプル６０１の一端部６１４および化粧部材６０２の固定要素６１６と固定装置が変更されているが、テンプル６０１の他端部を固定するための手段は上記実施形態と同じにしても良いし、異なるものとしても良い。
【００８４】
図７Ａに示すように、眼鏡のテンプル６０１は、その内面６０１Ａの端部６１４の一方（ここでは前端部）に、ガセットの形態をとる固定要素６１６が矩形で示されているが、その輪郭は眼鏡テンプルの裏面と一体化されている。このガセットの形態をとり、テンプル６０１の蝶番６１３の近くに配置されている要素は、その着座部６０１−１において化粧部材の対応端部を受容し、その開口部６１６−２はテンプル６０１の他端側に向けられている。
【００８５】
図７Ｂに示すように、化粧部材の固定装置は化粧部材の延長としての２つの弾性突起部６２６，６２７によって形成される。弾性突起部は相互に向かって湾曲しており、ガセット６１６の着座部６１６−１へ導入する方向（Ａ）に押圧することで変形させることができる。
【００８６】
眼鏡テンプル６０１および化粧部材６０２の他端部を固定するための手段は、たとえばガセットの形態をとる着座部によって形成することができ、これに化粧部材端部の突起部を導入する。
【００８７】
化粧部材６０２はテンプル６０１の開口部６１５を被覆する方の面に、この窓を通して見えるように形成した装飾要素を有する。装飾要素は図示されていない。
【００８８】
図８は、固定要素６１３と化粧部材６０２の固定装置６２６，６２７が相互に係合した状態を示しており、テンプル６０１の裏面６０１Ａと化粧部材６０２の裏面を示している。
【００８９】
図９Ａ〜図９Ｃは、化粧部材６０２の固定装置６２６，６２７とテンプル６０１の固定要素６１６の係合を段階毎に示している。
【００９０】
図９Ａは、化粧部材６０２の端部が、断面で示されるガセット６１６の入口６１６−２に対向して、テンプル６０１の裏面６０１Ａに平坦に当接されている状態を示す。
【００９１】
図９Ｂに示すように、２つの弾性突起部６２６，６２７によって形成される化粧部材端部をガセット６１６内に滑り込ませて導入した後、弾性突起部を圧縮して弾性的に変形させることにより、化粧部材の他端部がテンプルの対応する固定要素内に配置するのに必要な距離（ｅ）だけ化粧部材を矢印Ａの方向に送られる（テンプルおよび化粧部材の該当部分は図示していない）。着座部６１６−１の底部に押圧した際の突起部６２６，６２７の形状を実線で示し、突起部６２６，６２７の自然な形状を破線で示すことにより、Ａの方向の推力の下での突起部６２６，６２７の弾性圧潰と非圧潰に相当するこれら２つの位置の間での距離（ｅ）のずれを明示できるようにしている。
【００９２】
次に、このもう一方の固定装置が固定要素に配置されると、化粧部材６０２の弾性突起部６２６，６２７に加わる推力が緩められて弾性突起部は通常の形状に戻るが、やや圧縮された状態のままとしても良い（図９Ｃ）。
【００９３】
こうして化粧部材６０２は、テンプル６０１から自然に離脱する恐れなく、テンプル６０１に着脱自在に固定されて点線で示す開口部６０２を被覆する。化粧部材６０２を取り外すには、取り付けの場合と逆の動き、すなわち図９Ｃの状態から化粧部材６０２を左方向（矢印Ａ）に押して、突起部６２６，６２７を弾性変形せしめ、化粧部材６０２の他端部を第２の固定要素から離脱させる必要がある。この端部を取り外した後、２つの突起部を有する方の化粧部材端部をガセット６１６の着座部６１６−１から引き抜く。
【００９４】
化粧部材の他端部にも、前記化粧部材の端部の２つの突起部と同様の弾性変形部で形成される固定装置を設け、前記ガセットの形状に対応する形状のガセットに係止するようにしても良い。この第２の端部に弾性固定装置を設けることによって、テンプル６０１の２つの固定要素に化粧部材を一定の予備応力をかけた状態で保持することができる。この場合の寸法は、固定装置がやや圧縮された状態となるように選択される。これによって、例え非常に小さいものであっても問題となり得るような製造上の公差を吸収することができる。これら２つの突起部の弾性によって伸長度の違いも吸収することができる。
【００９５】
眼鏡の別の実施形態を示す図１０Ａ，図１０Ｂを参照すると、ここではテンプル７０１に台形の開口部７１５が設けられており、開口部の全ての辺または少なくともその大部分に接して内のり７１５ａを有している。開口部の前部には、テンプル７０１の内面に向けて、固定要素を形成する着座部７１６が設けられており、開口部の後部には、バネ７１９を装填したピストン７１８を内部に備える他方の固定要素としての着座部７１７が第１の固定要素７１６に対向して設けられている。
【００９６】
図１０Ｂに示すように、化粧部材は開口部７１５の形状に概ね対応する形状を有している。この化粧部材７０２は中心部７０２ｂと、開口部７１５の内のり７１５ａに嵌合するように構成された周縁部７０２ａを有する。
【００９７】
化粧部材７０２の前端部に、周縁部７０２ａへと延びる突起部の形状を取る固定装置７２６が設けられている。化粧部材の後端部にも、やはり、周縁部７０２ａの延長としての突起部の形を取る固定装置７２７が設けられている。
【００９８】
本実施形態の構造については、図１１Ａ〜図１１Ｄの断面図を参照することでより明らかとなろう。
【００９９】
図１１Ａは開口部７１５を取り囲む内のり７１５ａの形状を示しており、その前部には着座部７１６が、また後部にはバネ７１９を装填したピストン７１８を備える着座部７１７が設けられている。バネ７１９はピストンを前方に向かって押圧している。ピストンは着座部７１７のへり７１７ａによって開口部７１５のせん断縁に向かう方向に保持されている。
【０１００】
着座部７１６，７１７は、テンプル７０１の内側、開口部７１５のせん断縁に位置し、内のり７１５ａと実質的に同じ高さになっている。
【０１０１】
図１１Ｂの断面図は、化粧部材７０２の一実施形態を示しており、この化粧部材７０２の中心部は、例えばその両端部が突起部７２６および７２７となって終わっている周縁部７０２ａを備えるドーム状７０２ｂとなっている。
【０１０２】
テンプル７０１の開口部７１５への化粧部材の取付けは図１１Ｃに示すように行われる。
【０１０３】
まず初めに、ピストン７１８をバネ７１９の作用に抗して押し戻すと共に矢印Ａの方向に作用させることにより、もう一方の突起部７２６が開口部内に入って着座部７１６に対向して配置されるまで、突起部７２７をテンプル７０１の内面に沿って着座部７１７内に導入する。この時点で矢印Ａの方向の推力を緩めると、バネ７１８がピストン７１７ａを介して突起部７２７を押し返し、それによって化粧部材７０２と突起部７２６が着座部７１６内に押し戻される。
【０１０４】
化粧部材７０２の装着動作は、化粧部材を矢印Ｃの方向に傾けることにより突起部７２７の着座部７１７への導入を開始して、その縁部７０２ａを内のり７１５ａに載置した状態で化粧部材を開口部７１５内に配置することから成る。このように支持することで化粧部材７０２が安定し、化粧部材をＡの方向に押してピストン７１８を押し戻す動作が容易になる。次にもう一方の突起部７２７を着座部７１６前方の内のり７１５ａに載置することができる。その後化粧部材に推力をかけるのを止めると、化粧部材をＡの方向と反対の方向に戻して突起部７２６をその着座部７１６に係合させることができる。
【０１０５】
装着動作の終りの状態を示したのが図１１Ｄであり、２つの突起部７２６，７２７がそれぞれの着座部に固定され、テンプルの面に対して垂直に、Ｂの方向に加えられる推力に抗している。この推力が外側から加えられるか（いずれにせよこちらの方が多い）、テンプル７０２の内側から加えられるかに関わらず、Ａの方向の推力成分は存在しないため、化粧部材７０２が解放されることはない。
【０１０６】
化粧部材を取り外すには、図１１Ｃにおいて説明した動作と逆の手順を行う必要があり、突起部７２６が着座部７１７から離脱するまで化粧部材７０２を矢印Ａの方向に押し戻した後、矢印Ｃと反対方向に旋回運動させながら化粧部材を取り外す。
【０１０７】
この非常に簡単な動作によって、化粧部材を非常に効果的に固定することができ、眼鏡の装飾または表示を容易に変えることが可能となる。従って、眼鏡のユーザは、色やデザインの異なる化粧部材を一組手元に用意して状況に合わせて使い分けることができる。
【図１Ａ】
2010518421.tif 000003
【図１Ｂ】
2010518421.tif 000004
【図２Ａ】
2010518421.tif 000005
【図２Ｂ】
2010518421.tif 000006
【図３Ａ】
2010518421.tif 000007
【図３Ｂ】
2010518421.tif 000008
【図４Ａ】
2010518421.tif 000009
【図４Ｂ】
2010518421.tif 000010
【図４Ｃ】
2010518421.tif 000011
【図４Ｄ】
2010518421.tif 000012
【図４Ｅ】
2010518421.tif 000013
【図５Ａ】
2010518421.tif 000014
【図５Ｂ】
2010518421.tif 000015
【図５Ｃ】
2010518421.tif 000016
【図６Ａ】
2010518421.tif 000017
【図６Ｂ】
2010518421.tif 000018
【図６Ｃ】
2010518421.tif 000019
【図６Ｄ】
2010518421.tif 000020
【図７Ａ】
2010518421.tif 000021
【図７Ｂ】
2010518421.tif 000022
【図８】
2010518421.tif 000023
【図９Ａ】
2010518421.tif 000024
【図９Ｂ】
2010518421.tif 000025
【図９Ｃ】
2010518421.tif 000026
【図１０Ａ】
2010518421.tif 000027
【図１０Ｂ】
2010518421.tif 000028
【図１１Ａ】
2010518421.tif 000029
【図１１Ｂ】
2010518421.tif 000030
【図１１Ｃ】
2010518421.tif 000031
【図１１Ｄ】
2010518421.tif 000032
【国際調査報告】
2010518421.tif 000033
2010518421.tif 000034
2010518421.tif 000035
2010518421.tif 000036
2010518421.tif 000037
2010518421.tif 000038